(57)【要約】【課題】油漏れを防止でき、かつ無害で酸化安定性の高い作動油を使用したシール方法及び油圧装置を提供する。【解決手段】シール部材（１）を備えた油圧装置の油漏れを防止するシール方法であって、油圧装置の作動油（３０）として、中鎖脂肪酸を構成脂肪酸とするトリグリセリドを９０質量％以上含有する油脂組成物を使用し、シール部材の素材として、フッ化炭素樹脂を使用するシール方法及び当該シール方法を利用した油圧装置。【選択図】図１
2015121249.tif 000002
【特許請求の範囲】
【請求項１】
シール部材を備えた油圧装置の油漏れを防止するシール方法であって、
前記油圧装置の作動油として、中鎖脂肪酸を構成脂肪酸として含むトリグリセリドを９０質量％以上含有する油脂組成物を使用し、
前記シール部材の素材として、フッ化炭素樹脂を使用することを特徴とするシール方法。
【請求項２】
前記トリグリセリドは、中鎖脂肪酸トリグリセリドであることを特徴とする請求項１に記載のシール方法。
【請求項３】
前記フッ化炭素樹脂は、ポリテトラフルオロエチレン（ＰＴＦＥ）であることを特徴とする請求項１又は請求項２に記載のシール方法。
【請求項４】
前記フッ化炭素樹脂は、グラスファイバーを含有していることを特徴とする請求項１〜３のいずれか１項に記載のシール方法。
【請求項５】
前記シール部材は、リング状のオイルシールであることを特徴とする請求項１〜４のいずれか１項に記載のシール方法。
【請求項６】
前記オイルシールは、フッ素ゴムからなるＯリングにより、リング中心方向に締め付け力が付与されることを特徴とする請求項５に記載のシール方法。
【請求項７】
１０ＭＰａの耐圧性を有することを特徴とする請求項１〜６のいずれか１項に記載のシール方法。
【請求項８】
請求項１〜７のいずれか１項に記載のシール方法を利用したことを特徴とする油圧装置。
【請求項９】
前記油圧装置は、油圧ポンプ又は油圧モーターであることを特徴とする請求項８に記載の油圧装置。
【発明の詳細な説明】
【技術分野】
【０００１】
本発明は、シール方法及び油圧装置に関するものである。
【背景技術】
【０００２】
食品や医薬品等の製造に際し使用される油圧装置では、油漏れがあって製品に混入すると製品価値が無くなってしまうため、油漏れを防止することが特に求められている。
【０００３】
また、万が一、油漏れして食品等に混入した場合でも安全性を担保する必要があるため、油圧装置に使用する作動油として、極力無害のものを用いることが望まれる（例えば、特許文献１参照）。
【０００４】
無害な作動油（潤滑油等）として、植物油を用いることが知られているが、通常の植物油では、２重結合により、酸化安定性が悪く、長時間の運用に問題がある。一方、飽和脂肪酸の多い植物油は、酸化安定性が高いが結晶化するので使用することができない。
【先行技術文献】
【特許文献】
【０００５】
【特許文献１】特開２００８−３０９３３６号公報
【発明の概要】
【発明が解決しようとする課題】
【０００６】
そこで、パーム核油やヤシ油由来の中鎖脂肪酸を構成脂肪酸とするトリグリセリドを用いることで、液状で酸化安定性の良い作動油とすることが考えられる。
【０００７】
しかし、中鎖脂肪酸トリグリセリド（ＭＣＴ）は、粘度が低く、特に高圧条件下では、油漏れを起こしやすいという問題がある。
【０００８】
従って、本発明の目的は、油漏れを防止でき、かつ無害で酸化安定性の高い作動油を使用したシール方法及び油圧装置を提供することである。
【課題を解決するための手段】
【０００９】
本発明は、上記目的を達成するために、下記の［１］〜［７］を提供する。
［１］シール部材を備えた油圧装置の油漏れを防止するシール方法であって、
前記油圧装置の作動油として、中鎖脂肪酸を構成脂肪酸として含むトリグリセリドを９０質量％以上含有する油脂組成物を使用し、前記シール部材の素材として、フッ化炭素樹脂を使用することを特徴とするシール方法。
［２］前記トリグリセリドは、中鎖脂肪酸トリグリセリドであることを特徴とする前記［１］に記載のシール方法。
［３］前記フッ化炭素樹脂は、ポリテトラフルオロエチレン（ＰＴＦＥ）であることを特徴とする前記［１］又は［２］に記載のシール方法。
［４］前記フッ化炭素樹脂は、グラスファイバーを含有していることを特徴とする前記［１］〜［３］のいずれか１つに記載のシール方法。
［５］前記シール部材は、リング状のオイルシールであることを特徴とする前記［１］〜［４］のいずれか１つに記載のシール方法。
［６］前記オイルシールは、フッ素ゴムからなるＯリングにより、リング中心方向に締め付け力が付与されることを特徴とする前記［５］に記載のシール方法。
［７］１０ＭＰａの耐圧性を有することを特徴とする前記［１］〜［６］のいずれか１つに記載のシール方法。
［８］前記［１］〜［７］のいずれか１つに記載のシール方法を利用したことを特徴とする油圧装置。
［９］前記油圧装置は、油圧ポンプ又は油圧モーターであることを特徴とする前記［８］に記載の油圧装置。
【発明の効果】
【００１０】
本発明によると、油漏れを防止でき、かつ無害で酸化安定性の高い作動油を使用したシール方法及び油圧装置を提供することができる。
【図面の簡単な説明】
【００１１】
【図１】本発明の実施形態に係る油圧装置のシール部位の概略構成を示す断面図である。
【発明を実施するための形態】
【００１２】
図１は、本発明の実施形態に係る油圧装置のシール部位の概略構成を示す断面図である。本発明の実施形態を図１に基づいて以下に詳細に説明する。
【００１３】
〔シール方法〕
本発明の実施の形態に係るシール方法は、シール部材（オイルシール１）を備えた油圧装置の油漏れを防止するシール方法であって、前記油圧装置の作動油３０として、中鎖脂肪酸を構成脂肪酸として含むトリグリセリドを９０質量％以上含有する油脂組成物を使用し、シール部材（オイルシール１）の素材として、フッ化炭素樹脂を使用する。図１では、油圧装置の駆動部（摺動部）における回転軸１０とシールカバー２０の間の隙間にシール部材（オイルシール１）が設けられて、作動油３０の油漏れが防止されている。
【００１４】
＜作動油＞
作動油３０としては、中鎖脂肪酸を構成脂肪酸として含むトリグリセリドを９０質量％以上含有する油脂組成物を使用する。中鎖脂肪酸を構成脂肪酸として含むトリグリセリドの含有量は、９５質量％以上であることが好ましく、９８質量％以上であることがより好ましく、９９．９〜１００質量％であることが最も好ましい。
【００１５】
本実施の形態において用いられる中鎖脂肪酸を構成脂肪酸として含むトリグリセリドとは、構成脂肪酸として中鎖脂肪酸１〜３分子が結合されたトリグリセリドである。中でも中鎖脂肪酸３分子が結合された中鎖脂肪酸トリグリセリドが好ましい。
【００１６】
中鎖脂肪酸を構成脂肪酸として含むトリグリセリドの２０質量％以上が中鎖脂肪酸トリグリセリドであることが好ましい。より好ましくは、５０質量％以上であり、さらに好ましくは、８０質量％以上である。最も好ましくは、９９質量％以上である。
【００１７】
中鎖脂肪酸としては、炭素数が６〜１２の脂肪酸、特に飽和脂肪酸であるものが好ましい。中でも、炭素数が偶数の飽和脂肪酸であるカプロン酸、カプリル酸、カプリン酸、ラウリン酸がより好ましく、炭素数が８〜１０の飽和脂肪酸であるカプリル酸及びカプリン酸が特に好ましい。
【００１８】
中鎖脂肪酸トリグリセリドの構成脂肪酸の９０質量％以上（より好ましくは９５〜１００質量％）が炭素数８及び１０の飽和脂肪酸（カプリル酸およびカプリン酸）であって、その質量比率がカプリル酸／カプリン酸＝６０／４０〜８５／１５（より好ましくは７０／３０〜８０／２０）であり、且つ、トリグリセリドの１，３位に結合した全脂肪酸中のカプリル酸の割合が６０〜８５質量％（より好ましくは６５〜８０質量％）であることが好ましい。
【００１９】
中鎖脂肪酸トリグリセリド以外に含有させることができる、中鎖脂肪酸が１分子又は２分子結合したトリグリセリド、すなわち、トリグリセリド中に中鎖脂肪酸と長鎖脂肪酸等の中鎖脂肪酸以外の脂肪酸が結合したトリグリセリドとしては、中鎖脂肪酸トリグリセリドと植物油のエステル交換油等が挙げられる。
【００２０】
中鎖脂肪酸を構成脂肪酸として含むトリグリセリドは、公知の方法により製造でき、特に限定されない。
【００２１】
作動油３０には、本発明の効果を奏する限りにおいて、必要に応じて、中鎖脂肪酸を構成脂肪酸として含むトリグリセリド以外に、通常の食用油脂、例えば大豆油、菜種油、高オレイン酸菜種油、コーン油、ゴマ油、ゴマサラダ油、シソ油、亜麻仁油、落花生油、紅花油、高オレイン酸紅花油、ひまわり油、高オレイン酸ひまわり油、綿実油、ブドウ種子油、マカデミアナッツ油、ヘーゼルナッツ油、カボチャ種子油、クルミ油、椿油、茶実油、エゴマ油、ボラージ油、オリーブ油、米油、米糠油、小麦胚芽油、パーム油、パーム核油、ヤシ油、カカオ脂、牛脂、ラード、鶏脂、乳脂、魚油、アザラシ油、藻類油、品種改良によって低飽和化されたこれらの油脂及びこれらの混合油脂、水素添加油脂、分別油脂などを添加することができる。また、本発明の効果を奏する限りにおいて、ビタミンＥ（トコフェロール）等の酸化防止剤、ポリグリセリン脂肪酸エステル、有機酸モノグリセリド、ポリソルベート、シュガーエステル、脂肪酸モノグリセリド、ソルビタン脂肪酸エステル、プロピレングリコール脂肪酸エステル、レシチン等の乳化剤、防錆剤、耐摩耗剤、消泡剤などを添加することもできる。
【００２２】
＜シール部材＞
シール部材の素材は、フッ化炭素樹脂である。好適に使用できるフッ化炭素樹脂としては、ポリテトラフルオロエチレン（ＰＴＦＥ）やテトラフルオロエチレン・ヘキサフルオロプロピレン共重合体（ＦＥＰ）であり、特にポリテトラフルオロエチレン（ＰＴＦＥ）は好ましい。
【００２３】
フッ化炭素樹脂は、フッ化炭素樹脂が接触している軸の硬度がＨＲｃ  ６０以上である場合には、グラスファイバーを含有していることが好ましい。
【００２４】
シール部材としては、特に限定されるものではないが、図１に示されるようなリング状のオイルシール１が好適に使用できる。また、オイルシール１は、図１に示されるようなフッ素ゴムからなるＯリング２により、リング中心方向に締め付け力が付与されるものであることが好ましい。なお、Ｏリング２もシール部材の一部を構成する。
【００２５】
本発明の実施の形態に係る上記シール方法によれば、１０ＭＰａの耐圧性を有する。
【００２６】
〔油圧装置〕
本発明の実施の形態に係る油圧装置は、上記本発明の実施の形態に係るシール方法を利用したものである。油漏れが防止でき、万が一、油漏れしても人や動物に無害の作動油を使用しているため、食品・飼料等の製造に使用される油圧装置が特に好適なものとして挙げられる。油圧装置としては、特に限定されるものではないが、例えば油圧ポンプや油圧モーターが挙げられる。
【００２７】
次に実施例により本発明を説明するが、本発明はこれらの実施例により限定されるものではない。
【実施例】
【００２８】
＜実施例及び比較例＞
油圧モーター（ＤＡＮＦＯＳＳ社製、ＯＭＶ−６３０）の作動油（潤滑油）として中鎖脂肪酸トリグリセリドのみからなる中鎖脂肪酸油（ＭＣＴ）（日清オイリオグループ（株）製、商品名：Ｏ．Ｄ．Ｏ）を用い、シール部材として図１に示す形状のオイルシール（素材は表１に記載）及びＯリング（バイトン）を用いて油圧モーターの運転を行った。１回の運転時間は、３時間である。起動開始後の約３分間は１７５〜２８０ｂａｒ（１７．５〜２８ＭＰａ）の圧力がかかり、その後の定常運転では１１０〜１２０ｂａｒ（１１〜１２ＭＰａ））の圧力がかかる。油漏れが発生しない累積時間が１０００時間以上のものを優良（◎）、４００時間以上のものを良（○）、４００時間未満のものを不良（×）と判断した。油漏れが発生した累積時間、オイルシールの状況及び評価結果を表１に示す。
【００２９】
また、参考例として、潤滑油を食品機械用に使えるとして市販されている合成潤滑油（商品名：カシーダフルードＨＦ、株式会社レッドアンドイエロー製）に変え、実施例及び比較例と同様に試験を行った。カシーダフルードＨＦは、食品ではなく、パッケージには「故意に飲食したり、皮膚に長時間または繰り返し何度も触れないようにご注意ください。」と注意書きがされている。
【００３０】
なお、油圧モーターの回転軸のシール接触部分（硬度ＨＲｃ  ６１）は、研磨して用いた。研磨後の表面粗さは、Ｒａ：０．０５〜０．２０、Ｒｚ：０．４〜１．６μｍであった。
＜Ｒａ：中心線平均粗さ＞
粗さ曲線を中心線から折り返し、その粗さ曲線と中心線によって得られた面積を長さＬで割った値をマイクロメートル(μｍ)で表わす。
＜Ｒｚ：十点平均高さ＞
断面曲線から基準長さだけを抜き取った部分において、最高から５番目までの山頂の標高の平均値と、最深から５番目までの谷底の標高の平均値との差の値をマイクロメートル(μｍ)で表わす。
【００３１】
【表１】
2015121249.tif 000003
【００３２】
【表２】
2015121249.tif 000004
【符号の説明】
【００３３】
１：オイルシール、２：Ｏリング
１０：回転軸、２０：シールカバー、３０：作動油
【図１】
2015121249.tif 000005